(57)【特許請求の範囲】
【請求項１】
第１の面を有する筐体と、
前記第１の面に設けられ、ユーザの指を、当該指の側部が前記第１の面に対面するように載置可能にガイドする指ガイド部と、
前記第１の面に前記指ガイド部に隣接して設けられ、前記載置された指を透過する所定波長の光を照射可能な照明部と、
前記指を透過した光を撮像可能であり、前記光の非撮像時に前記第１の面よりも前記筐体内部側に位置し、前記光の撮像時に前記第１の面から垂直方向に所定距離を置いた位置まで突出可能に設けられた撮像部と、
前記撮像された画像を基に前記ユーザの認証を行う制御部と、
前記第１の面に設けられた表示部及び操作部とを具備し、
前記指ガイド部及び照明部は、前記操作部と前記表示部との間に設けられ、
前記操作部は、前記撮像部を保持し、前記非撮像時に前記第１の面の一部を形成する面に複数の操作キー群が配列され、前記撮像時に前記筐体の短手方向の軸を中心に回動することで、前記撮像部を露出するように突出可能に設けられた操作キーブロックを有する
携帯型電話機。
【請求項２】
第１の面を有する筐体と、
前記第１の面に設けられ、ユーザの指を、当該指の側部が前記第１の面に対面するように載置可能にガイドする指ガイド部と、
前記第１の面に前記指ガイド部に隣接して設けられ、前記載置された指を透過する所定波長の光を照射可能な照明部と、
前記指を透過した光を撮像可能であり、前記光の非撮像時に前記第１の面よりも前記筐体内部側に位置し、前記光の撮像時に前記第１の面から垂直方向に所定距離を置いた位置まで突出可能に設けられた撮像部と、
前記撮像された画像を基に前記ユーザの認証を行う制御部と、
前記第１の面に対向する第２の面に設けられた表示部及び操作部と、
前記第１の面に、一端が前記第１の面の短手方向の軸を中心に回動可能に設けられ、前記撮像部を保持し、前記撮像時に前記回動により他端が前記第１の面から突出して露出可能に設けられた保持ブロックとを具備し、
前記指ガイド部は、前記他端に設けられる
携帯型電話機。
【請求項３】
第１の面を有する筐体と、
前記第１の面に設けられ、ユーザの指を、当該指の側部が前記第１の面に対面するように載置可能にガイドする指ガイド部と、
前記第１の面に前記指ガイド部に隣接して設けられ、前記載置された指を透過する所定波長の光を照射可能な照明部と、
前記指を透過した光を撮像可能であり、前記光の非撮像時に前記第１の面よりも前記筐体内部側に位置し、前記光の撮像時に前記第１の面から垂直方向に所定距離を置いた位置まで突出可能に設けられた撮像部と、
前記撮像された画像を基に前記ユーザの認証を行う制御部と、
前記第１の面に対向する第２の面に設けられた表示部及び操作部とを具備し、
前記指ガイド部は、第１の一端及び第１の他端を有する第１の板と、第２の一端及び第２の他端を有する第２の板とを有し、かつ、前記非撮像時に前記第１の面と一体となり、前記撮像時に前記第１の面から突出可能な突出部材を有し、
前記第１の一端は、前記第１の面に前記短手方向の軸を中心に回動可能に接続され、
前記第１の他端と前記第２の一端とは、前記短手方向の軸を中心に回動可能に連結され、かつ、当該回動に伴って前記第１の面との距離を可変され、
前記第２の他端は、前記回動に伴って前記第１の面を前記長手方向へ摺動可能であり、
前記撮像部は、前記突出部材の第１の板の裏面であって前記第１の一端の近傍に、前記突出部材の突出に伴って前記第１の面から突出可能に一体的に設けられる
携帯型電話機。
【請求項４】
第１の面を有する筐体と、
前記第１の面に設けられ、ユーザの指を、当該指の側部が前記第１の面に対面するように載置可能にガイドする指ガイド部と、
前記第１の面に前記指ガイド部に隣接して設けられ、前記載置された指を透過する所定波長の光を照射可能な照明部と、
前記筐体に、前記第１の面から垂直方向に所定距離を置いて設けられ、前記指を透過した光を撮像可能な撮像部と、
前記撮像された画像を基に前記ユーザの認証を行う制御部と、
前記第１の面に対向する第２の面に設けられた表示部及び操作部とを具備し、
前記制御部は、前記表示部に前記指の載置方法及び認証手順に関する情報を表示させるように前記表示部を制御する
携帯型電話機。
【請求項５】
請求項４に記載の携帯型電話機であって、
前記制御部は、前記指ガイド部に前記指が載置された場合に、前記撮像部により捉えられた指の画像と、前記指の最適な載置位置及び載置角度に関する情報とを前記表示部に表示させ、前記指の載置から所定時間経過した場合、または、前記指の載置後にユーザから所定の操作が入力された場合に、前記照明部に前記光を照射させ前記撮像部に前記指を透過した光を撮像させる
携帯型電話機。
【請求項６】
第１の面を有する筐体と、
前記第１の面に設けられ、ユーザの指を、当該指の側部が前記第１の面に対面するように載置可能にガイドする指ガイド部と、
前記第１の面に前記指ガイド部に隣接して設けられ、前記載置された指を透過する所定波長の光を照射可能な照明部と、
前記筐体に、前記第１の面から垂直方向に所定距離を置いて設けられ、前記指を透過した光を撮像可能な撮像部と、
前記撮像された画像を基に前記ユーザの認証を行う制御部とを具備し、
前記照明部は、前記照射される光の指向性を調整可能なレンズを有し、
前記レンズは、前記指ガイド部の少なくとも一部をなす
携帯型電話機。
【請求項７】
第１の内面及び当該第１の内面に対向する第１の外面を有する第１の筐体と、
第２の内面及び当該第２の内面に対向する第２の外面を有する第２の筐体と、
前記第１の筐体と前記第２の筐体とを、互いに二つ折りに開閉可能なように回動可能に連結するヒンジ部と、
前記第１の内面または前記第２の内面に設けられ、ユーザの指を、当該指の側部が前記第１の面に対面するように載置可能にガイドする指ガイド部と、
前記第１の内面または前記第２の内面に前記指ガイド部に隣接して設けられ、前記載置されたユーザの指を透過する光を照射可能な照明部と、
前記ヒンジ部に設けられ、前記指を透過した光を撮像可能な撮像部と、
前記撮像された画像を基に前記ユーザの認証を行う制御部とを具備し、
前記第１の筐体は、前記第１の内面に第１の表示部を有し、
前記第２の筐体は、前記第２の内面に操作部を有し、
前記制御部は、前記第１の筐体が開いた状態において、前記第１の表示部に前記指の載置方法及び認証手順に関する情報を表示させるように前記表示部を制御する
携帯型電話機。
【請求項８】
請求項７に記載の携帯電話機であって、
前記ヒンジ部は、前記第１の内面が前記載置された指に接するように前記第１の筐体が所定角度閉じた状態で前記回動を一旦係止するための係止部材を有する
携帯型電話機。
【請求項９】
請求項７に記載の携帯電話機であって、
前記第１の筐体は、前記第１の内面の短手方向の両側面に、前記第１の内面から略垂直方向に突出するように設けられたスカート部を有する
携帯型電話機。
【請求項１０】
第１の内面及び当該第１の内面に対向する第１の外面を有する第１の筐体と、
第２の内面及び当該第２の内面に対向する第２の外面を有する第２の筐体と、
前記第１の筐体と前記第２の筐体とを、互いに二つ折りに開閉可能なように回動可能に連結するヒンジ部と、
前記第１の内面または前記第２の内面に設けられ、ユーザの指を、当該指の側部が前記第１の面に対面するように載置可能にガイドする指ガイド部と、
前記第１の内面または前記第２の内面に前記指ガイド部に隣接して設けられ、前記載置されたユーザの指を透過する光を照射可能な照明部と、
前記ヒンジ部に設けられ、前記指を透過した光を撮像可能な撮像部と、
前記撮像された画像を基に前記ユーザの認証を行う制御部とを具備し、
前記第１の筐体は、前記第１の内面に第１の表示部を有し、
前記第２の筐体は、前記第２の内面に操作部を有し、
前記第１の表示部は、液晶パネルと、前記液晶パネルを被覆するとともに端面が前記光を遮光可能に加工された保護板とを有する
携帯型電話機。
【請求項１１】
第１の内面及び当該第１の内面に対向する第１の外面を有する第１の筐体と、
第２の内面及び当該第２の内面に対向する第２の外面を有する第２の筐体と、
前記第１の筐体と前記第２の筐体とを、互いに二つ折りに開閉可能なように回動可能に連結するヒンジ部と、
前記第１の内面または前記第２の内面に設けられ、ユーザの指を、当該指の側部が前記第１の面に対面するように載置可能にガイドする指ガイド部と、
前記第１の内面または前記第２の内面に前記指ガイド部に隣接して設けられ、前記載置されたユーザの指を透過する光を照射可能な照明部と、
前記ヒンジ部に設けられ、前記指を透過した光を撮像可能な撮像部と、
前記撮像された画像を基に前記ユーザの認証を行う制御部とを具備し、
前記第１の筐体は、前記第１の内面に第１の表示部を有し、
前記第２の筐体は、前記第２の内面に操作部を有し、
前記第１の筐体は、前記第１の外面に第２の表示部を有し、
前記制御部は、前記第２の表示部に前記指の載置方法及び認証手順に関する情報を表示させるように前記表示部を制御する
携帯型電話機。
【請求項１２】
側面を有する筐体と、
前記筐体に設けられ、前記長手方向へ摺動することで前記側面から突出可能であり、第１の面を有するアンテナ部と、
前記アンテナ部の第１の面に設けられ、ユーザの指を、当該指の側部が前記第１の面に対面するように載置可能にガイドする指ガイド部と、
前記アンテナ部の第１の面に前記指ガイド部に隣接して設けられ、前記載置された指を透過する所定波長の光を照射可能な照明部と、
前記側面に設けられ、前記指を透過した前記光を撮像可能な撮像部と、
前記撮像された画像を基に前記ユーザの認証を行う制御部と
を具備する携帯型電話機。
【発明の詳細な説明】
【技術分野】
【０００１】
本発明は、指の静脈パターンにより個人を認証することが可能な携帯型電話機及び電子機器に関する。
【背景技術】
【０００２】
近年、個人の認証を行うための認証技術として、生体情報を用いたバイオメトリクス認証が注目されている。その中でも特に指の静脈パターンを利用した認証（以下、指静脈認証という）は、犯罪捜査等にも使用される指紋認証に比べてユーザの心理的抵抗感が低く、また生体の表面ではなく内部の情報を利用しているため耐偽造性に優れている特長を有している。
【０００３】
指静脈認証においては、血液中のヘモグロビンが赤外光を吸収するという特徴を利用して、照明部から指へ赤外光を照射し、イメージセンサ部により指の腹部を撮像すると、指の静脈部分だけが影となった静脈パターンを捉えることができる。このパターンを画像処理し、認証用として適切なデータとして登録しておき、認証時に得た指の静脈パターンとの相関を求めることで、登録ユーザか否かを判定し、個人認証を行う。
【０００４】
当該指静脈認証技術を用いた個人認証装置として、下記の特許文献１には、光源を指の撮像面に対して水平方向もしくは斜め水平方向に設けた装置が記載されている。
【０００５】
また、下記特許文献２には、液晶表示手段の表示面の内側に撮影手段を設け、撮影補助光を撮影手段の更に内側から液晶表示手段の表示面の外側方向へ照射するように撮影補助光出射手段を設け、液晶表示手段に所定の押圧力が加えられたときに液晶表示手段を透過表示にして、撮影補助光を点灯させた後、撮影手段により撮影することで、指静脈等の画像パターンを得て認証を行なう認証装置が記載されている。  
【特許文献１】特開２００４−２６５２６９号公報（段落[００１０]、[００３６]、図１、図１５等）
【特許文献２】特開２００６−１１７１１号公報（段落[００４０]、[００４７]、図１０等）
【発明の開示】
【発明が解決しようとする課題】
【０００６】
しかしながら、上記特許文献１においては、指の腹部を筐体に対面させるように載置して撮像するため、撮像用のカメラを腹部の略垂直方向に設ける必要があり、またその水平方向に光源を設けるため、筐体が大型化してしまい、例えば携帯型電話機のような携帯型機器へ搭載することが困難である。また小型化するためにミラーを用いることも記載されているが、これにより撮像範囲が狭くなり、認証精度が低くなってしまう。更に、携帯型電話機のように、太陽光等の外光に晒される環境下においては、カメラが外光の影響を受けてしまい、認証を正しく行うことができない。
【０００７】
一方、上記特許文献２においては、撮影手段及び撮影補助光照射手段を、液晶表示手段に対して垂直方向に並べることで、例えばいわゆる折りたたみ式の携帯型電話機における認証を実現し、また撮影手段を筐体内部に設けることで、外光に晒される環境下においても使用可能としている。
【０００８】
しかし、この構成では撮影手段と指との間に十分な焦点距離を取れず、撮影範囲が狭くならざるを得ないため、認証精度が低くなってしまう。また、当該液晶表示手段とは、折りたたみ式の携帯型電話機のいわゆるサブ液晶ディスプレイであり、メイン液晶ディスプレイしか有さない携帯端末に適用することができない。
【０００９】
以上のような事情に鑑み、本発明の目的は、筐体の形態や搭載部品の有無及び配置に関わらず、精度の高い指静脈認証を行うことが可能な携帯型電話機及び携帯型電子機器を提供することにある。
【課題を解決するための手段】
【００１０】
上述の課題を解決するため、本発明の主たる観点に係る携帯型電話機は、第１の面を有する筐体と、前記第１の面に設けられ、ユーザの指を、当該指の側部が前記第１の面に対面するように載置可能にガイドする指ガイド部と、前記第１の面に前記指ガイド部に隣接して設けられ、前記載置された指を透過する所定波長の光を照射可能な照明部と、前記筐体に、前記第１の面から垂直方向に所定距離を置いて設けられ、前記指を透過した光を撮像可能な撮像部と、前記撮像された画像を基に前記ユーザの認証を行う制御部とを具備する。
【００１１】
ここで前記所定波長の光とは、例えば約６００〜９８０ｎｍの波長を有する赤外光である。また指ガイド部は例えば凹部または凸部を有し、ユーザに載置位置及び載置方向を示すものである。また所定距離とは例えば０〜１ｃｍ程度である。上記制御部は例えば上記画像中の、ユーザの指の静脈のパターンに基づいて認証を行う。なお、当該携帯型電話機は例えばいわゆるストレート（スティック）式の形態を有するが、その他にも、例えば上記筐体と別の筐体とがヒンジ部を介して回動可能に連結されたいわゆる折りたたみ式、上記筐体と別の筐体とが互いにスライド可能に連結されたいわゆるスライド式、上記筐体と別の筐体とが上記第１の面に垂直な軸を中心に回動可能に連結されたいわゆる回転オープン式といった他の形態を有していてもよい。
【００１２】
この構成により、ユーザの指を、指の側部が第１の面に対面するように載置させて、照明部により指の側部に光を照射しながら、第１の面から所定距離置いて設けられた撮像部により撮像することとしたので、撮像部は第１の面に沿った方向で指の腹部を撮像することとなる。これにより、指の腹部を第１の面に対面させて第１の面の垂直方向から撮像する場合に比べて、上記垂直方向における大きなスペースを必要としないながらも、撮像範囲を広くすることができる。これにより、携帯型電話機のあらゆる形態に対応して、限られたスペースを有効活用しながら、精度の高い指静脈認証が可能となる。
【００１３】
上記携帯型電話機において、前記撮像部は、前記光の非撮像時に前記第１の面よりも前記筐体内部側に位置し、前記撮像時に前記第１の面から前記第１の距離を置いた位置まで突出可能に設けられるようにしてもよい。
【００１４】
これにより、撮像部を撮像時に突出可能としたことで、非撮像時における筐体の上記垂直方向の幅を小さくして携帯型電話機の携帯性を向上させることができる。
【００１５】
上記携帯型電話機は、前記筐体の長手方向の端部に設けられ、前記撮像部を保持し、前記非撮像時に前記第１の面の一部を形成し、前記撮像時に前記第１の面の短手方向または長手方向の軸を中心に回動することで前記撮像部を突出可能な保持ブロックを更に具備していてもよい。
【００１６】
これにより、筐体の端部に回動可能に設けられた保持ブロックに撮像部を保持させることで、撮像時に撮像部を第１の面から突出させて撮像可能とすることができる。
【００１７】
上記携帯型電話機は、前記第１の面に設けられた表示部及び操作部を更に具備し、前記指ガイド部及び照明部は、前記操作部と前記表示部との間に設けられていても構わない。
【００１８】
これにより、表示部と操作部との間のスペースを効率よく利用して指ガイド部及び照明部を配置して認証を行うことができる。
【００１９】
上記携帯型電話機において、前記操作部は、前記撮像部を保持し、前記非撮像時に前記第１の面の一部を形成する面に複数の操作キー群が配列され、前記撮像時に前記筐体の短手方向の軸を中心に回動することで、前記撮像部を露出するように突出可能に設けられた操作キーブロックを有していてもよい。
【００２０】
これにより、操作部の一部を操作キーブロックとして形成して撮像部を内蔵させ、第１の面から突出可能とすることで、撮像部の設置スペースを確保することができる。
【００２１】
上記携帯型電話機は、前記第１の面に対向する第２の面に設けられた表示部及び操作部と、前記第１の面に、一端が前記第１の面の短手方向の軸を中心に回動可能に設けられ、前記撮像部を保持し、前記撮像時に前記回動により他端が前記第１の面から突出して露出可能に設けられた保持ブロックとを更に具備し、前記指ガイド部は、前記他端に設けられることを特徴とする携帯型電話機。
→これにより、撮像部を、表示部及び操作部の設置位置に依存することなく設置できるとともに、指ガイド部を保持ブロックの他端に設けることで、非撮像時には指ガイド部を筐体内に収納して筐体の美観を維持することができる。
【００２２】
上記携帯型電話機は、前記第１の面に対向する第２の面に設けられた表示部及び操作部を更に具備し、前記指ガイド部は、第１の一端及び第１の他端を有する第１の板と、第２の一端及び第２の他端を有する第２の板を有し、前記第１の一端が前記第１の面に前記短手方向の軸を中心に回動可能に接続され、前記第１の他端と前記第２の一端とが前記短手方向の軸を中心に回動可能に連結され、前記第２の他端が前記回動に伴って前記第１の面を前記長手方向へ摺動可能であり、前記非撮像時に前記第１の面と一体となり、前記撮像時に前記第１の面から突出可能な突出部材を有し、前記撮像部は、前記突出部材の第１の板の裏面であって前記第１の一端の近傍に、前記突出部材の突出に伴って前記第１の面から突出可能に一体的に設けられていても構わない。
【００２３】
これにより、非撮像時には指ガイド部及び撮像部をともに上記第１の面よりも筐体内部側へ収納して携帯性を向上できるとともに、撮像時には指ガイド部の突出動作と撮像部の突出動作とが連動することで、認証処理をスムーズに行わせることができる。なお、上記突出部材の突出時に上記第２の板を支持するテンション部材を有していてもよい。
【００２４】
上記携帯型電話機において、前記筐体は前記第１の面に表示部を有し、前記指ガイド部及び照明部と、前記撮像部とは、前記表示部を挟んで対向するように前記第１の面に設けられていてもよい。
【００２５】
これにより、指ガイド部及び照明部と、撮像部とを、表示部を挟むように設けることで、指ガイド部に載置された指と撮像部との距離を、十分な撮像範囲が得られる程度に確保して、精度の高い認証を行うことができる。
【００２６】
上記携帯型電話機において、前記制御部は、前記表示部に前記指の載置方法及び認証手順に関する情報を表示させるよう制御するようにしても構わない。
【００２７】
これにより、載置方法及び認証手順をユーザに報知することでユーザの操作性を向上させ、認証をスムーズに行うことができる。
【００２８】
上記携帯型電話機において、前記指ガイド部は、前記照明部よりも前記撮像部側に前記第１の面から突出するように設けられていてもよい。
【００２９】
これにより、照明部から照射された光が、指と筐体との隙間から漏れて撮像部の光学系に影響を与えることを防ぐことができ、指の静脈パターンを確実に撮像して確実に認証を行うことができる。
【００３０】
上記携帯型電話機において、前記撮像部は、前記所定波長の光のみを透過可能な第１のフィルタを有していてもよい。
【００３１】
これにより、屋外等の太陽光等の外光に晒される環境においても、第１のフィルタによって撮像部に入射する外光を遮蔽することで、指の静脈パターンを確実に撮像でき、誤認証を防いで認証を確実に行うことができる。また指の表面の指紋に外光が当たって散乱する場合等、指表面に対する外光の反射光の影響を防ぐこともできる。なお、第１のフィルタは例えばガラスや樹脂等からなる。
【００３２】
上記携帯型電話機において、前記撮像部は、可視光を吸収可能な第２のフィルタを有していても構わない。
【００３３】
これにより、上記第１のフィルタでは遮蔽しきれない外光も確実に遮蔽して、指の静脈パターンをより確実に撮像することができる。
【００３４】
上記携帯型電話機において、前記照明部は、前記照射される光の指向性を調整可能なレンズを有していてもよい。
【００３５】
これにより、照明部から照射された光が撮像部に直接入射して、撮像画像にノイズが入ことを防ぐことができる。なお、上記レンズとしては、例えばシリンドリカルレンズ、フレネルレンズ、アナモルフィックレンズ等が用いられる。
【００３６】
上記携帯型電話機において、前記レンズは、前記指ガイド部の少なくとも一部をなしていても構わない。
【００３７】
これにより、上記レンズが指ガイド部の少なくとも一部を兼ねることで、撮像画像のノイズを防ぎながら同時に指を載置位置へガイドすることも可能となる。また、指の側部に対して確実に光を照射させることもできる。例えば、第１の面から露出するレンズの凸部または凹部を指ガイド部として用いてもよい。
【００３８】
本発明の他の観点に係る携帯型電話機は、第１の内面及び当該第１の内面に対向する第１の外面を有する第１の筐体と、第２の内面及び当該第２の内面に対向する第２の外面を有する第２の筐体と、前記第１の筐体と前記第２の筐体とを、互いに二つ折りに開閉可能なように回動可能に連結するヒンジ部と、前記第１の内面または前記第２の内面に設けられ、ユーザの指を、当該指の側部が前記第１の面に対面するように載置可能にガイドする指ガイド部と、前記第１の内面または前記第２の内面に前記指ガイド部に隣接して設けられ、前記載置されたユーザの指を透過する光を照射可能な照明部と、前記ヒンジ部に設けられ、前記指を透過した光を撮像可能な撮像部と、前記撮像された画像を基に前記ユーザの認証を行う制御部とを具備する。
【００３９】
ここで前記所定波長の光とは、例えば約６００〜９８０ｎｍの波長を有する赤外光である。また指ガイド部は例えば凹部または凸部を有し、ユーザに載置位置及び載置方向を示すものである。また所定距離とは例えば０〜１ｃｍ程度である。上記制御部は例えば上記画像中の、ユーザの指の静脈のパターンに基づいて認証を行う。なお、当該携帯型電話機は例えばいわゆる折りたたみ式の形態を有する。
【００４０】
この構成により、ユーザの指を、指の側部が第１の面に対面するように載置させて、照明部により指に光を照射しながら、ヒンジ部に設けられた撮像部により撮像することとしたので、撮像部は第１の面に沿った方向で指の腹部を撮像することとなる。これにより、指の腹部を第１の面に対面させて第１の面の垂直方向から撮像する場合に比べて、上記垂直方向における大きなスペースを必要としないながらも、撮像範囲を広くすることができる。これにより、限られたスペースを有効活用しながら、精度の高い指静脈認証が可能となる。
【００４１】
上記携帯型電話機において、前記第１の筐体は、前記第１の内面に第１の表示部を有し、前記第２の筐体は、前記第２の内面に操作部を有し、前記指ガイド部及び照明部は、前記第１の表示部を挟んで前記撮像部と対向するように前記第１の内面に設けられていてもよい。
【００４２】
これにより、第１の内面の表示部が設けられたスペースを利用することで、ガイド部に載置された指と、ヒンジ部に設けられた撮像部との距離を、十分な撮像範囲が得られる程度に確保して精度の高い認証を行うことができる。
【００４３】
上記携帯型電話機において、前記制御部は、前記第１の筐体が開いた状態において、前記第１の表示部に前記指の載置方法及び認証手順に関する情報を表示させるよう制御するようにしても構わない。
【００４４】
これにより、第１の筐体が開いた状態において、第１の表示部により指の載置方法及び認証手順をユーザに報知することで、ユーザは当該表示内容を見ながら認証をスムーズに行うことができる。
【００４５】
上記携帯型電話機において、前記第１の表示部は、液晶パネルと、前記液晶パネルを被覆するとともに端面が前記光を遮光可能に加工された保護板を有していても構わない。
【００４６】
これにより、照射された光が保護板に入射し保護板を経由して撮像部に入ることで、撮像画像にノイズが入ることを防ぐことができる。「遮光可能に加工」とは、例えば遮光材料の塗装や遮光テープの貼付等である。
【００４７】
上記携帯型電話機において、前記第１の筐体は、前記第１の外面に第２の表示部を有し、前記制御部は、前記第２の表示部に前記指の載置方法及び認証手順に関する情報を表示させるよう制御するようにしても構わない。
【００４８】
当該第２の表示部は、メインディスプレイとして機能する上記第１の表示部に対して、いわゆるサブディスプレイとして機能する。これにより、第１の表示部のみならず第２の表示部によってもユーザに載置方法及び認証手順を報知し、認証をスムーズに行わせることができる。また、ユーザが第１の外面の第２の表示部を見ながら指を第１の内面の指ガイド部に載置すると、第１の筐体によって撮像部に入る太陽光等の外光が遮蔽されるため、外光の影響を受けずに指の静脈パターンを確実に撮像して確実に認証を行うことができる。
【００４９】
上記携帯型電話機において、前記第１の筐体は、前記第１の内面に第１の表示部を有し、前記第２の筐体は、前記第２の内面に操作部を有し、前記指ガイド部及び照明部は、前記操作部を挟んで前記撮像部と対向するように前記第２の内面に設けられていてもよい。
【００５０】
これにより、第２の内面の操作部が設けられたスペースを利用することで、ガイド部に載置された指と、ヒンジ部に設けられた撮像部との距離を、十分な撮像範囲が得られる程度に確保して精度の高い認証を行うことができる。
【００５１】
上記携帯型電話機において、前記撮像部は、前記第１または第２の筐体の回動に伴って回動可能に設けられていてもよい。
【００５２】
これにより、第１または第２の筐体を開いた状態においても、閉じた状態においてもそれぞれの状態に撮像部が対応して指を撮像して認証を行うことができる。
【００５３】
上記携帯型電話機において、前記ヒンジ部は、前記第１の内面が前記載置された指に接するように前記第１の筐体が所定角度閉じた状態で前記回動を一旦係止するための係止部材を有していても構わない。
【００５４】
これにより、上記係止部材を設けたことで、所定角度閉じた状態（いわゆる半開きの状態）で第１の筐体をユーザが抑えておく必要もなく、認証を容易に行なうことが可能となる。なお、所定角度とは第１の筐体と第２の筐体との間にユーザの指の側部が挟まれるような角度であり、例えば、第１の内面と第２の内面とがなす角度が１０度〜１５度程度となる角度であるが、この範囲に限られるものではない。
【００５５】
上記携帯型電話機において、前記第１の筐体は、前記第１の内面の短手方向の両側面に、前記第１の内面から略垂直方向に突出するように設けられたスカート部を有していてもよい。
【００５６】
これにより、スカード部を設けたことで、第１の筐体が所定角度閉じた状態において、第１の筐体及び第２の筐体の側面側から入る外光を遮蔽することができるため、外光の影響を受けずに指の静脈パターンを確実に撮像して確実に認証を行うことができる。
【００５７】
上記携帯型電話機において、前記撮像部は、前記所定波長の光のみを透過可能な第１のフィルタを有していてもよい。
【００５８】
これにより、第１のフィルタによって撮像部に入射する外光を遮蔽することで、指の静脈パターンを確実に撮像でき、認証を確実に行うことができる。また指表面に対する外光の反射光の影響を防ぐこともできる。
【００５９】
上記携帯型電話機において、前記撮像部は、可視光を吸収可能な第２のフィルタを有していてもよい。
【００６０】
これにより、上記第１のフィルタでは遮蔽しきれない外光も確実に遮蔽して、指の静脈パターンをより確実に撮像することができる。
【００６１】
上記携帯型電話機において、前記照明部は、前記照射される光の指向性を調整可能なレンズを有していても構わない。
【００６２】
これにより、照明部から照射された光が撮像部に直接入射して、撮像画像にノイズが入ることを防ぐことができる。
【００６３】
上記携帯型電話機において、前記レンズは、前記指ガイド部の少なくとも一部をなしていてもよい。
【００６４】
これにより、上記レンズが指ガイド部の少なくとも一部を兼ねることで、撮像画像のノイズを防ぎながら同時に指を載置位置へガイドすることも可能となる。また、指の側部に対して確実に光を照射させることもできる。
【００６５】
本発明の更に別の観点に係る携帯型電話機は、第１の表示部を有する第１の内面及び第２の表示部を有し当該第１の内面に対向する第１の外面を有する第１の筐体と、操作部を有する第２の内面及び当該第２の内面に対向する第２の外面を有する第２の筐体と、前記第１の筐体と前記第２の筐体とを、互いに二つ折りに開閉可能なように回動可能に連結するヒンジ部と、前記第１の外面に設けられ、ユーザの指を、当該指の側部が前記第１の面に対面するように載置可能にガイドする指ガイド部と、前記第１の外面に前記指ガイド部に隣接して設けられ、前記載置されたユーザの指を透過する光を照射可能な照明部と、前記第１の外面に、前記第２の表示部を挟んで前記指ガイド部及び照明部と対向し、かつ、前記第１の外面から突出するように設けられ、前記指を透過した光を撮像可能な撮像部と、前記撮像された画像を基に前記ユーザの認証を行うとともに、前記第１の表示部に前記指の載置方法及び認証手順に関する情報を表示させるよう制御する制御部とを具備する。
【００６６】
当該携帯型電話機は、いわゆるメインディスプレイ（第１の表示部）とサブディスプレイ（第２の表示部）とを有する、いわゆる折りたたみ式の携帯型電話機である。この構成により、第２の表示部の設置スペースをうまく利用して、指ガイド部に載置された指と撮像部との距離を、精度の高い認証が可能な撮像範囲まで広げることができる。また、ユーザは、第１の内面の第１の表示部に表示された情報を見ながら、指を第１の外面の指ガイド部に載置し撮像することで、スムーズに認証を行うことができる。更に、ユーザが第１の表示部を見ることにより、撮像部は第１の筐体により外光を遮蔽する位置となりやすいため、外光の影響を受けずに確実に指の静脈パターンを撮像して精度の高い認証を行うことができる。
【００６７】
本発明の更に別の観点に係る携帯型電話機は、第１の表面及び当該第１の表面に対向する第１の背面を有する第１の筐体と、第２の表面及び当該第２の表面に対向する第２の背面を有し、前記第１の背面と前記第２の表面とが対面するように、前記第１の筐体に対して摺動可能に連結された第２の筐体と、前記第２の表面に設けられ、ユーザの指を、当該指の側部が前記第２の表面に対面するように載置可能にガイドする指ガイド部と、前記第２の表面に前記指ガイド部に隣接して設けられ、前記載置された指を透過する所定波長の光を照射可能な照明部と、前記第１の筐体の前記摺動方向の、前記第１の表面と前記第１の背面との間の側面に設けられ、前記指を透過した前記光を撮像可能な撮像部と、前記撮像された画像を基に前記ユーザの認証を行う制御部とを具備する。
【００６８】
この携帯型電話機は、いわゆるスライド型の形態を有する。上記第１の表面に表示部、第２の表面に操作部を有していてもよいし、また第１の背面に操作部、第２の背面に表示部を有していてもよい。この場合、上記摺動により操作部を露出させたり、被覆させたりすることが可能となる。
【００６９】
この構成により、指ガイド部及び照明部を第２の筐体に、撮像部を第１の筐体に設けることで、例えば操作部の露出及び被覆のために上記第１及び第２の筐体を摺動可能としている構成を利用して、指ガイド部に載置された指と撮像部との距離を、可変して撮像部の撮像範囲を広げることができる。すなわち、摺動可能という既存の構成をうまく利用することで、指の静脈パターンを広範囲で撮像して、精度の高い認証を行うことが可能となる。
【００７０】
本発明のまた更に別の観点に係る携帯型電話機は、側面を有する筐体と、前記筐体に設けられ、前記長手方向へ摺動することで前記側面から突出可能であり、第１の面を有するアンテナ部と、前記アンテナ部の第１の面に設けられ、ユーザの指を、当該指の側部が前記第１の面に対面するように載置可能にガイドする指ガイド部と、前記アンテナ部の第１の面に前記指ガイド部に隣接して設けられ、前記載置された指を透過する所定波長の光を照射可能な照明部と、前記側面に設けられ、前記指を透過した前記光を撮像可能な撮像部と、前記撮像された画像を基に前記ユーザの認証を行う制御部とを具備する。
【００７１】
この構成により、受信感度を上げるため、または電磁波の人体への影響を軽減させるためにアンテナ部を摺動可能にするとともに、当該摺動可能な構成をうまく利用して、指ガイド部に載置された指と撮像部との距離を、精度よく認証可能な撮像範囲となる位置まで可変させることができる。
【００７２】
本発明の携帯型電子機器は、第１の面を有する筐体と、前記第１の面に設けられ、ユーザの指を、当該指の側部が前記第１の面に対面するように載置可能にガイドする指ガイド部と、前記第１の面に前記指ガイド部に隣接して設けられ、前記載置された指を透過する所定波長の光を照射可能な照明部と、前記筐体に、前記第１の面から垂直方向に所定距離を置いて設けられ、前記指を透過した光を撮像可能な撮像部と、前記撮像された画像を基に前記ユーザの認証を行う制御部とを具備する。
【００７３】
携帯型電子機器としては、例えば携帯型電話機、ＰＤＡ（Personal Digital Assistance）、ノート型ＰＣ（Personal Computer）、電子辞書、カメラ、携帯型オーディオ／ビジュアル機器、携帯型ゲーム機器等が挙げられる。
【発明の効果】
【００７４】
以上のように、本発明によれば、筐体の形態や搭載部品の有無及び配置に関わらず、精度の高い指静脈認証を行うことができる。
【発明を実施するための最良の形態】
【００７５】
以下、本発明の実施の形態を図面に基づき説明する。
【００７６】
（第１実施形態）  
まず、本発明の第１の実施形態について説明する。図１は、本実施形態における携帯型電話機１０の外観を示す斜視図であり、図２は、図１に示す携帯型電話機１０の側面図である。
【００７７】
これらの図に示すように、携帯型電話機１０は、第１の筐体１と、第２の筐体２とがヒンジ部３を介して回動可能に連結された、いわゆる折りたたみ式の形態を有しており、両筐体は、回動することで両図矢印Ａ方向へ開閉し、二つ折りにすることが可能となっている。
【００７８】
第１の筐体１の内面１ａには例えばＴＦＴ（Thin Film Transistor）等の液晶パネルを有するメイン表示部４が設けられる。また両図においては図示しないが、筐体１の外面１ｂには、同じく液晶パネルを有するサブ表示部が設けられている。
【００７９】
第２の筐体の内面２ａには、ユーザの操作を入力するための操作部５が設けられている。操作部５は、例えば複数の数字キーが配列されたテンキー部５ａやジョグダイヤル部５ｂ、その他十字キー等のボタンを有する。
【００８０】
第１の筐体１の内面１ａの、長手方向のヒンジ部３とは反対側の端部（以下、上端部という）には、ユーザの指を載置可能にガイドする指ガイド部６が設けられている。当該指ガイド部６は、例えば筐体１の短手方向に形成された凹部を有し、当該凹部に沿うようにユーザの指の側部を載置可能となっている。すなわち、指ガイド部６は、その凹部の幅が指の腹部の形状に合うほどの広い幅ではなく、指の側部を載置した場合に当該側部に合うようになっている。
【００８１】
内面１ａの、上記指ガイド部６の更に端部側には、上記指を透過する赤外光を照射可能な照明部７が、指ガイド部６に隣接するように設けられている。またヒンジ部３には、上記照明部７から照射され指を透過した赤外光、すなわち、指の静脈イメージを撮像可能な撮像部８が設けられている。照明部７及び撮像部８の詳細については後述する。
【００８２】
図３は、携帯型電話機１０の内部構成を示したブロック図である。同図に示すように、携帯型電話機１０は、上記メイン表示部４、操作部５、照明部７及び撮像部８に加え、制御部１１、アンテナ１２、通信部１３、メモリ１４、表示制御部１５、サブ表示部１６、開閉検知部１７、スピーカ１８及びマイクロフォン１９を有している。
【００８３】
アンテナ１２は、例えば内蔵アンテナであり、通話やパケット通信のための電波の送受信を行う。通信部１３は、当該アンテナ１２により送受信される電波の周波数変換や、変調及び復調等を行う。なおパケット通信において送受信されるデータは、画像データ、電子メールデータ、プログラムデータ、その他の各種データである。
【００８４】
メモリ１４は、例えばＲＯＭ（Read Only Memory）及びＲＡＭ（Random Access Memory）、またはフラッシュメモリ等で構成され、制御部１１が各部を制御するための制御プログラムや各種の初期設定データ、電話帳データ、電子メールの作成等を行うためのアプリケーション及び電子メールデータ、メールアドレスデータ等の、携帯型電話機に必要な各種プログラムやデータの他、本実施形態においては特に、特定ユーザの認証処理を行うためのプログラム及び静脈パターン等の認証用データを格納している。またメモリ１４は、制御部１１の各種データ処理の際の作業領域として、随時データを格納する。
【００８５】
表示制御部１５は、操作部５に対するユーザ操作等に基づいて、制御部１１による制御の下、上記第１の筐体１の内面１ａに設けられたメイン表示部４と、外面１ｂに設けられたサブ表示部１６の表示処理を制御する。なお本実施形態においては特に、表示制御部１５は、メイン表示部４及びサブ表示部１６に、指静脈パターンによるユーザ認証の際に指ガイド部６への指の載置位置や認証手順等に関する情報を表示させるように制御する。
【００８６】
上記操作部５は、上記テンキー部５ａやジョグダイヤル部５ｂ等に対するユーザの操作を入力し、当該入力された操作に応じた処理を行わせるために、当該入力された信号を制御部１１に送信する。
【００８７】
開閉検知部１７は、例えばスイッチ等からなり、本実施形態における携帯型電話機１０が、図１及び図２に示したような開いた状態であるのか、或いは両図矢印Ａ方向への回動により折りたたまれた状態であるのかを検知し、例えばメイン表示部４とサブ表示部１６の表示切替信号等を制御部１１へ送信する。
【００８８】
スピーカ１８は、デジタル／アナログ変換機や増幅器等を有し、通信部１３を介して入力された通話（受話）用の音声データや呼び出し音（着信報知音等）用の音声データに対してデジタル／アナログ変換処理及び増幅処理を行い、出力する。
【００８９】
マイクロフォン１９は、アナログ／デジタル変換機や増幅器等を有し、ユーザから入力された通話（送話）用のアナログ音声データをデジタル音声データへ変換して制御部１１へ送る。制御部１１へ送られたデジタル音声データは、符号化された後、通信部１３及びアンテナ１２を介して送信される。
【００９０】
制御部１１は、例えばＣＰＵ（Central Processing Unit）からなり、通話における音声データの符号化及び復号化等、当該携帯型電話機１０の各構成要素と信号をやり取りして携帯型電話機１０を統括的に制御する。また、本実施形態においては特に、撮像部８によって撮像された画像データの解析等、特定ユーザの認証に関する処理を行う。
【００９１】
次に、照明部７及び撮像部８について詳細に説明する。図４は、携帯型電話機１０が開いた状態において、第１の筐体１の長手方向における、第１の筐体１及びヒンジ部３近傍の概略断面図であり、図５は、照明部７の詳細を示した図であり、図６は、図４に示す撮像部８のカメラモジュール２１の断面図である。これらの図においては、筐体１及び筐体２の内部機構の詳細については図示を省略している。また図５の（ａ）は図４と同じ方向（長手方向）から見た照明部７の断面図、（ｂ）は（ａ）に略垂直な短手方向から見た照明部７の断面図である。
【００９２】
上述したように、第１の筐体１の、指ガイド部６よりも筐体１の上端部側（両図において右側）には、当該指ガイド部６に隣接するように照明部７が設けられている。図５に示すように、照明部７は、赤外光を照射可能な赤外ＬＥＤ（light-emitting diode）４３、当該赤外ＬＥＤ４３と接続された基板４４、赤外ＬＥＤの指向性を光学的に制御するためのライトガイド４１及び当該ライトガイド４１を保持する例えば樹脂製の保持筒４２を有する。
【００９３】
図５（ｂ）に示すように、赤外ＬＥＤ４３は第１の筐体の短手方向、すなわち指ガイド部６の形成方向と同一方向に、例えば２つ設けられ、指ガイド部６に載置された指９の側部に向けて、当該指を透過する例えば約６００〜９８０ｎｍの波長を有する近赤外光を照射可能であるが、この波長の範囲に限定されるものではない。
【００９４】
またライトガイド４１は、例えば上面に凸状の湾曲面を有しており、例えばシリンドリカルレンズが用いられるが、その他にもフレネルレンズやアナモルフィックレンズ等を用いても構わない。当該ライトガイド４１により、赤外光の指向性が制御され、撮像部８へ赤外光が直接入射するのを防ぎ、撮像部８による撮像画像にノイズが入って認証精度に影響をきたすことを防ぐことができる。
【００９５】
そして、図４及び図５に示すように、ライトガイド４１は、その凸形状の端部が指ガイド部６の凹部の一部と一体的となるように形成されている。これにより、ライトガイド４１も指ガイド部６と同様にユーザの指を載置可能にガイドする機能を果たす。
【００９６】
撮像部８は、図４に示すように、カメラモジュール２１と、当該カメラモジュールを保持する保持カバー２２と、カメラモジュール２１内へ光を案内する光路２３を有し、カメラモジュール２１は、その光学系の光軸が内面１ａに対してやや傾斜して指９の腹部へ向かうように設けられている。保持カバー２２は、図２にも示すように、例えば第２の筐体２の外面２ｂから突出するように設けられる。光路２３は、例えばカメラモジュール２１からヒンジ部３の表面まで、第２の筐体２及びヒンジ部３を貫通するように形成され、ヒンジ部３の表面に開口を有している。同図に示すように当該開口に例えばアクリル樹脂等でなる保護カバー２４を設けてもよい。
【００９７】
図６に示すように、カメラモジュール２１は、筒状を有し、それぞれ光路を有する上筒部３１、中筒部３２及び下筒部３３からなる筒部と、筒部内に設けられたレンズ３４と、筒部の下部に設けられた基板３５と、基板３５上に設けられたイメージセンサ３６とを有している。また、本実施形態においては特に、上筒部３１にその開口を覆うようにＩＲ透過フィルタ３７が設けられ、また下筒部３３内のレンズ３４とイメージセンサ３６との間にはバンドパスフィルタ３８が設けられている。イメージセンサ３６としては、例えばＣＣＤ（Charge Coupled Devices）センサやＣＭＯＳ（Complementary Metal Oxide Semiconductor）センサが用いられる。
【００９８】
バンドパスフィルタ３８は、上記照明部７が照射する赤外光の波長に合わせて、特定波長の赤外光のみを透過し、またＩＲ透過フィルタ３７は、イメージセンサ３６に入る光のうち赤外光を透過して可視光を遮蔽（吸収）する。特定波長とは例えば８７０ｎｍの波長とし、またＩＲ透過フィルタ３７は例えば７６０ｎｍ以上の波長の光を透過させるものとするが、これらの波長に限られるものではない。
【００９９】
本発明者らは、当該バンドパスフィルタ３８とＩＲ透過フィルタ３７の効果について実験を行った。図７は、当該実験結果を示した図である。なお本実験は、２００５年１２月８日の午前１１時から行い、この時刻において天候は快晴、太陽光の照度は104,650lx、色温度は5,176Kであった。また同図のグラフＡはイメージセンサ３６に直接入射する太陽光のスペクトラムを示し、グラフＢはバンドパスフィルタ３８及びＩＲ透過フィルタ３７を用いた場合にイメージセンサ３６に入射する光のスペクトラムを示している。なお、実際にイメージセンサ３６へ入射する太陽光の放射照度は、同図グラフＡに示す値を積分した値となる。
【０１００】
同図に示すように、グラフＡの状態のように両フィルタを用いない場合には、イメージセンサ３６が太陽光の影響を著しく受けてしまい、指の静脈パターンを画像として捉えることが困難であるか、また仮に捉えられたとしても、明確な静脈パターンを得られないため、撮像した指がユーザ本人のものであっても認証に拒否されてしまう。
【０１０１】
そこで、同図グラフＢに示すように、上記バンドパスフィルタ３８及びＩＲ透過フィルタで太陽光の強度を１／１０以下に抑えることにより、照明部７から照射される赤外光と太陽光の放射強度との差を小さくすることができ、指の静脈パターンをより正確に捉えることができる。これにより、本人が拒否されてしまうことを回避し、確実に認証を行うことができる。
【０１０２】
またグラフＡに示すように、太陽光の放射照度は、波長が約７６０ｎｍ及び約９５０ｎｍの付近において特に小さくなっていることから、両フィルタを当該波長に合わせて設計することで、太陽光の影響を最も効率よく抑えることができる。
【０１０３】
また図８は、撮像部８に上記バンドパスフィルタ３８及びＩＲ透過フィルタ３７を搭載しない場合（同図（ａ））と両フィルタを搭載した場合（同図（ｂ））とでそれぞれ同一の指を撮像した画像を示した図である。同図（ａ）に示すように、両フィルタを用いない場合には、外光が指９の表面（指紋）に散乱してノイズが入ってしまい、静脈パターン９ａを明確に捉えることができない。それに対して、同図（ｂ）に示すように、両フィルタを用いることで、外光の影響を抑えて静脈パターン９ａを明確に捉えることができる。
【０１０４】
このように、フィルタを２重に設けることで、仮にバンドパスフィルタ３８で遮蔽しきれない波長の光（可視光）もＩＲ透過フィルタ３７で確実に遮蔽することができる。本実施形態の携帯型電話機１０のような携帯型電話機は太陽光等の外光に晒される屋外等の環境下で使用されることが多いが、この両フィルタを用いることで、外光に晒される環境下においても指の静脈イメージを確実に撮像して、精度の高い指静脈認証を行うことができる。
【０１０５】
また、上記照明部７については、指ガイド部６に載置される指に対してその設置角度及び設置位置を適宜変更可能である。本発明者らは、上記図４において、指の中心を通り、指を腹側と背側（爪側）に２分する赤道面上の中心線と、内面１ａの法線とのなす角度θを変更し、また内面１ａの平行面上における、照明部７から指の中心までの距離ｄを変更して指を撮像し、当該撮像画像の比較を行った。図９は、当該撮像結果を示した図である。なお、同図において、角度に関しては、上記指の中心線が、上記法線に平行な状態を原点（０）とし、指の腹側（撮像部側、図４の左側）へ傾く場合を＋、指の背側（第１の筐体１の上端部側、図４の右側）に傾く場合を−として示している。また距離に関しては、指が照明部７の中心線上にある場合を原点（０）とし、照明部７に対して指が撮像部８側（同図左側）にある場合を＋、筐体１の上端部側（同図右側）にある場合を−として示している。
【０１０６】
同図に示すように、角度については、指が原点から背側（−）に傾くにしたがって、また距離については、指が原点から撮像部側（＋）へ移動するにしたがって、指の静脈パターンが明確に捉えられている。同図に示す範囲以外について同様の撮像画像の比較を行った結果、照明部７を指に対して、角度θについては−４０°〜０°（指の背側に０°〜４０°）傾け、距離ｄについては０ｍｍ〜２０ｍｍの範囲に設定して、指の背側から赤外光を照射して撮像することで、静脈パターンを認証可能な程度に明確に捉えることができることが分かった。したがって、本実施形態においては、照明部７と指ガイド部６とを上記距離ｄの範囲の位置関係となるように設けて、またユーザ認証の際に、指を上記角度θの範囲で側部を載置させるように、例えばメイン表示部４またはサブ表示部１６に載置方法を表示させることで、認証に最適な静脈パターンを捉えることができる。
【０１０７】
なお、撮像部８と指との距離については、本実施形態においては例えば１０ｍｍ以上必要とされる。撮像範囲（画角）と認証精度とはトレードオフの関係にあり、両者間の距離が１０ｍｍより小さいと、撮像範囲が狭くなり、指の一部の静脈パターンしか捉えられないため、認証精度が低くなってしまうからである。本実施形態においては、撮像部８をヒンジ部３に設け、メイン表示部４を挟んで第１の筐体１の内面１ａの上端部に指ガイド部６を設けることで、メイン表示部４の長手方向の幅を利用して、上記１０ｍｍ以上の距離を確保して精度の高い認証を行うことができる。
【０１０８】
なお、指ガイド部６の凹部に指を載置した場合には、当該指により赤外光が撮像部８側へ漏れるのを防ぐことができ、赤外光により撮像画像にノイズが入ることを防ぐことができる。
【０１０９】
また、上記メイン表示部４は、内部に液晶パネル（図示せず）を有しており、上記図４及び図５に示すように、当該液晶パネルを保護するための例えばアクリル樹脂製の保護板４ａを内面１ａの略平行面上に有している。仮に赤外光が指の隙間から漏れて、当該保護板４ａの端面から入射すると、当該赤外光が保護板４ａ内部を伝わって撮像部８近傍から出射し、上記と同様、撮像画像にノイズが入る等、撮像に影響をきたすことが考えられる。そこで、上記保護板４ａの端面に、赤外光に対する遮光処理を施すようにしてもよい。遮光処理としては、例えば遮光テープの貼付や、遮光材料の塗布が挙げられる。
【０１１０】
また図示しないが、例えば第１の筐体１または第２の筐体２の側面には、照明部７における赤外光の照射及び撮像部８における撮像、メイン表示部４における認証手順の表示等、一連の認証処理を開始させるための認証ボタンが設けられている。
【０１１１】
次に、以上のように構成された携帯型電話機１０のユーザ認証動作について説明する。
【０１１２】
当該ユーザ認証は、例えば、携帯型電話機１０内のデータへのアクセスや操作がロックされた状態等、携帯型電話機１０に対する各種の機能制限がかけられた状態において、当該制限を解除するために行われる。ユーザにより例えば上記認証ボタンが押下されると、まず、携帯型電話機１０は、表示制御部１５により、メイン表示部４に指ガイド部６への指の載置位置及び認証手順等に関する情報を表示させる。より具体的には、例えば、ユーザが指を指ガイド部６に載置した状態で、撮像部８が捉えている指の画像と、最適な載置位置及び載置角度に関する情報とを表示させることで当該載置位置及び載置角度を調整させるようにしてもよい。載置位置と載置角度が最適な状態になった（最適であるとユーザが判断した）場合、例えば上記認証ボタンを再度押下すると、携帯型電話機１０は、照明部７の赤外ＬＥＤ４３を点灯させた上で、撮像部８により指を撮像する。なお、認証ボタンのみならず、撮像用のボタンを他に設けるようにしてもよい。また、認証ボタンによらずに、例えば、指ガイド部６に、ユーザの指が載置されたことを感知するセンサを設けて、感知から所定時間経過後に自動的に赤外ＬＥＤ４３を点灯させて撮像するようにしても構わない。
【０１１３】
制御部１１は、上記撮像画像を解析して静脈パターンを得て、当該静脈パターンと、メモリ１４に予め記憶してある登録ユーザの静脈パターンとを照合し、それらが一致した場合には正当なユーザであると判断し、上記機能制限を解除する。また一致しない場合には、当該機能制限は解除しない。このとき、例えば静脈パターンが一致しないため解除できない旨をメイン表示部４に表示させるようにしてもよい。
【０１１４】
なお、上記照合に用いる登録ユーザの静脈パターンは、例えば携帯型電話機１０の初期設定時に、上記認証の際と同様に指ガイド部６に登録ユーザの指が載置された状態で、照明部７により赤外ＬＥＤ４３を点灯させつつ撮像部８により撮像し、その静脈パターンの特徴に関する情報等とともにメモリ１４へ格納しておく。
【０１１５】
以上説明したように、第１の筐体１の上端部に指ガイド部６及び照明部７を設け、撮像部８を、第１の筐体１のメイン表示部４を挟むようにヒンジ部３に設け、ユーザの指の側部が指ガイド部６に載置された状態で撮像することにより、メイン表示部４や操作部５等の、折りたたみ式の携帯型電話機１０の既存の構成部品の配置を変更することなく、空いたスペースを有効活用して、焦点距離も確保しつつ、ユーザの指の明確な静脈パターンを得ることができ、精度の高い認証を行うことができる。
【０１１６】
（第２実施形態）  
次に、本発明の第２の実施形態について説明する。なお、本実施形態及び以降説明する実施形態においては、上記第１実施形態における携帯型電話機１０の構成及び動作と同様となる部分については図面において同一の符号を付し、説明を省略または簡略化する。
【０１１７】
本実施形態においては、上記第１実施形態と同様の折りたたみ式の携帯型電話機において、指ガイド部６及び照明部７を設ける位置を変更している。図１０は、本実施形態における携帯型電話機２０が開いた状態の外観を示した斜視図であり、図１１は、図１０の携帯型電話機２０が所定角度閉じた状態の外観を示した斜視図である。また図１２は、認証時における携帯型電話機２０を側面側から示した図である。
【０１１８】
上記第１の実施形態においては、第１の筐体１の上端部に指ガイド部６及び照明部７を設けていたが、図１０及び図１１に示すように、本実施形態においては、同様に図１０の矢印Ａ方向へ開閉可能な折りたたみ式の携帯型電話機２０において、当該指ガイド部６及び照明部７を第２の筐体２の内面２ａの、ヒンジ部３とは反対側の端部（以下、下端部という）に設けている。すなわち、指ガイド部６及び照明部７と、ヒンジ部３に設けられた撮像部８とが、操作部５を挟むような位置関係となっている。
【０１１９】
また、撮像部８は、上記第１の実施形態と同様にヒンジ部３に設けられているが、本実施形態においては、図１１に示すように、第１の筐体１または第２の筐体２が所定角度閉じた状態において指と対面し、当該指を撮像可能なように設けられている。したがって、ユーザは、図１２に示すように、指ガイド部６に指の側部を載置し、かつ、第１の筐体１の上端部と第２の筐体２の下端部との間に指を挟むように、第１の筐体及び第２の筐体２を所定角度閉じた状態で認証を行う。
【０１２０】
なお、指が第１の筐体１と第２の筐体２とで挟まれることで両筐体の回動を係止するようにしてもよいが、図１２に示したような、当該指が挟まれるような角度（例えば、内面１ａと内面２ａとがなす角度が１０度〜１５度程度となる角度）で両筐体の回動を一旦係止するような係止機構をヒンジ部３に設けるようにしても構わない。携帯型電話機２０のその他の構成及び動作は、上記第１実施形態と同様である。
【０１２１】
この構成により、指ガイド部６及び照明部７と、撮像部８とを、操作部５を挟むように設けることで、当該操作部５の設置領域を利用して焦点距離を確保し、上記第１実施形態と同様に精度の高い認証が可能であるが、特に本実施形態においては、認証時において、第１の筐体１及び第２の筐体２が所定角度閉じた状態となるため、第１の筐体１により指や撮像部８に入射する外光が遮蔽されることとなり、より外光の影響を少なくして精度の高い認証を行うことができる。
【０１２２】
（第３の実施形態）  
次に、本発明の第３の実施形態について説明する。図１３は、本実施形態における携帯型電話機３０の外観を示す斜視図であり、図１４は、図１３に示した携帯型電話機３０において認証を行う場合の、第１の筐体１の長手方向の断面図である。
【０１２３】
上記２つの実施形態においては、折りたたみ式の携帯型電話機において第１の筐体１または第２の筐体２の内面に指ガイド部６及び照明部７を設け、ヒンジ部３に撮像部８を設けていたが、両図に示すように、本実施形態においては、これらを第１の筐体１の外面１ｂに設けることとしている。
【０１２４】
すなわち、図１４に示すように、第１の筐体１の外面１ｂに設けられたサブ表示部１６を挟むように、指ガイド部６及び照明部７と、撮像部８とを設けている。本実施形態においては、指ガイド部６は上記各実施形態の場合のような凹部ではなく、外面１ｂから突出した凸部として設けている。図１４に示すように、ユーザは当該凸部としての指ガイド部６に指の側部が触れるように指を載置する。
【０１２５】
また、撮像部８は、外面１ｂから突出するように設けられており、図１４に示すように、上記第１実施形態で示したのと同様、カメラモジュール２１と、当該カメラモジュールを保持する保持カバー２２と、カメラモジュール２１内へ光を案内する光路２３と、光路23の開口を覆う保護カバー２４とを有し、カメラモジュール２１は、光学系の光軸が外面１ｂに対して傾斜して指９の腹部に向かうように設けられている。なお、撮像部８は、例えば保持カバー２２の一端を、外面１ｂの短手方向の軸を中心に回動可能として、非撮像時には第１の筐体に収容可能となるように設けてもよい。
【０１２６】
また指ガイド部６は、その凸形状により、指ガイド部６に載置された指の隙間から漏れる赤外光を遮蔽するような構造となっている。これにより赤外光が撮像部８による撮像に影響をきたすことを防ぐことができる。
【０１２７】
本実施形態における携帯型電話機３０の認証動作については上記各実施形態と同様である。この構成により、指ガイド部６及び照明部７と、撮像部８とをサブ表示部１６を挟むように設けることで、サブ表示部１６の設置領域を利用して焦点距離を確保し、精度の高い認証を行うことができる。
【０１２８】
また、この場合、メイン表示部４に指の載置方法や認証手順を表示させ、ユーザがメイン表示部４を見ながら認証を行うようにすることで、撮像部８が第１の筐体１により外光の影になりやすく、撮像部８に対する外光の影響を抑えることも可能となる。
【０１２９】
（第４の実施形態）  
次に、本発明の第４の実施形態について説明する。図１５は、本実施形態における携帯型電話機４０の外観を示した斜視図であり、図１６は、図１５に示した携帯型電話機４０において認証を行う場合の、携帯型電話機４０の側面図である。
【０１３０】
両図に示すように、本実施形態における携帯型電話機４０は、いわゆるストレート式（スティック式）の形態を有し、筐体１０１の上面１０１ａには、表示部４と操作部５とを有している。
【０１３１】
また、上面１０１ａの、表示部４と操作部５との間には、指ガイド部６及び照明部７を有し、筐体１０１の下端部には、撮像部８を保持する保持ブロック２５が設けられている。指ガイド部６は例えばユーザの指の側部を載置可能な凹部を有しており、また照明部７は、上述の各実施形態と同様の構成となっている。当該保持ブロック２５は、図４及び図５に示すように、上面１０１ａの短手方向の軸を中心に同図矢印Ａ方向に回動可能に筐体１０１に接続されている。ユーザ認証時には、当該回動により、撮像部８とともに保持ブロック２５が上面１０１ａから突出し、撮像部８の光軸が、指ガイド部６に載置された指の腹部へ向くようになっている。図１５における保持ブロック２５は、認証時における状態を示している。非認証時には、保持ブロック２５は、認証時に指の腹部と対面していた面が、筐体１０１の上面１０１ａと同一面上となり、撮像部８の光軸が上面１０１ａの略垂直方向に向いた状態となる。携帯型電話機４０の認証動作については上記各実施形態で説明したのと同様である。
【０１３２】
なお、上記保持ブロック２５は、上面１０１ａの短手方向ではなく長手方向の軸を中心に回動可能に設けても構わない。この場合、撮像部８は、当該回動軸から上記短手方向に所定距離を置いて設けて、非撮像時は筐体１０１の下端部側の側面に対面するようにし、回動により上記指の腹部に対面するように設ければよい。
【０１３３】
以上の構成により、いわゆるストレート式の携帯型電話機４０においても、上面１０１ａの表示部４と操作部５との間に指ガイド部６及び照明部７を設けて、下端部に撮像部８を上面１０１ａから突出可能に設けることで、既存の表示部４及び操作部５の配置を変更することなく、操作部５の設置領域を利用して焦点距離も確保して、精度の高い認証を行うことができる。
【０１３４】
（第５の実施形態）  
次に、本発明の第５の実施形態について説明する。図１７は、本実施形態における携帯型電話機５０の外観を示した斜視図である。
【０１３５】
上記第４の実施形態においては、上記第４実施形態における携帯型電話機３０と同様のストレート式の携帯型電話機５０において、操作部５のテンキー部５ａを有する部分をキーブロック２６としてブロック化し、当該キーブロック２６を、例えば上面１０１ａの短手方向の軸を中心に同図矢印Ａ方向に回動することで、上面１０１ａから突出可能なように設けている。そして、当該キーブロック２６内部に撮像部８を設け、また指ガイド部６及び照明部７は、表示部４と操作部５（キーブロック２６）との間に設けている。キーブロック２６が回動して突出することにより、撮像部８が上面１０１ａから露出して、指ガイド部６に載置された指の腹部に対面し、当該指の腹部を撮像可能となる。キーブロック２６は、例えばバネや係合部等を有し、非撮像時にはバネ力に抗して筐体１０１内に係合することで収容され、撮像時には、筐体１０１の側面等に設けられたボタンをユーザが押下することでバネ力により突出可能となるようにしてもよい。携帯型電話機５０の認証動作については、上記各実施形態の場合と同様である。
【０１３６】
この構成により、操作部５の一部をキーブロック２６として上面１０１ａから突出可能とし、当該キーブロック２６に撮像部８を設けることで、既存の操作部５や表示部の配置を変更することなく、撮像部８と指との焦点距離を確保して、精度の高い認証を行うことができる。
【０１３７】
（第６の実施形態）  
次に、本発明の第６の実施形態について説明する。図１８は、本実施形態における携帯型電話機６０の外観を示した斜視図であり、図１９は、図１８に示した携帯型電話機６０において認証を行う場合の、携帯型電話機６０の側面図である。
【０１３８】
両図に示すように、本実施形態においては、ストレート式の携帯型電話機６０において、アーチ状のアンテナ１２を筐体１０１の上端部に、筐体１０１の長手方向（同図矢印Ａ方向）にスライド可能に設けている。アンテナ１２は端部に湾曲部１２ａを有し、当該湾曲部１２ａに、凹形状の指ガイド部６と、照明部７を設けている。アンテナ１２をスライドさせて筐体１０１の側面１０１ｃから突出させることにより、電波の受信感度を向上させ、また電磁波の人体への影響を軽減させることができる。
【０１３９】
また、筐体１０１の上部側面１０１ｃに撮像部８を設け、上記アンテナ１２を上記矢印Ａ方向にスライドすることで、撮像部８と、指ガイド部６に載置された指との焦点距離を確保することができるようになっている。なお、図１９に示すように、撮像部８のカメラモジュール２１は、その光軸が上面１０１ａに対してやや傾くように設け、指９の腹部を撮像可能としている。また、照明部７も、赤外ＬＥＤ４３の指向性を、指の背側へ赤外光が照射されるよう、ライトガイド４１等により調整する。携帯型電話機６０の認証動作については、上記各実施形態の場合と同様である。
【０１４０】
以上の構成により、アンテナ１２をスライド可能に設けた構成をうまく利用して、アンテナ１２に指ガイド部６及び照明部７を設けて、撮像部８と指９との間の、認証に必要な焦点距離を確保して、精度の高い認証を行うことができる。
【０１４１】
（第７の実施形態）  
次に、本発明の第７の実施形態について説明する。図２０は、本実施形態における携帯型電話機７０の外観を上面側から示した斜視図であり、図２１は、図２０に示した携帯型電話機７０の外観を背面側から示した斜視図であり、図２２は、図２０及び図２０に示した携帯型電話機７０において認証を行う場合の、携帯型電話機７０の側面図である。
【０１４２】
これらの図に示すように、本実施形態においては、ストレート式の携帯型電話機７０において、筐体１０１の背面１０１ｂに撮像部８を保持する保持ブロック２７を設け、当該保持ブロック２７を、筐体１０１の短手方向の軸を中心に回動することで背面１０１ｂから突出可能としている。
【０１４３】
具体的には、保持ブロック２７の内部に撮像部８を設けて、当該撮像部８から保持ブロック２７の端部側面に通じる光路２７ａを形成している。保持ブロック２７は、非撮像時には筐体１０１内に収容され、撮像時には、当該撮像部８及び光路２７ａが、上記回動により背面１０１ｂから露出可能となっている。また、当該保持ブロック２７の端部側面に凹部を設けて指ガイド部６とし、また背面１０１ｂの、指ガイド部６の近傍に照明部７を設けている。携帯型電話機７０の認証動作については上記各実施形態と同様である。
【０１４４】
この構成により、撮像部８が保持ブロック内に収容され、また保持ブロック２７の光路２７ａは、認証時には指の腹部により覆われることとなるため、撮像部８に外光が入ることを防ぎ、精度の高い認証を行うことができる。また、非認証時には、指ガイド部６を筐体１０１内に収容することができるため、背面１０１ｂに凹部や凸部等を設ける場合に比べて、携帯型電話機７０のデザイン性が向上する。
【０１４５】
（第８の実施形態）  
次に、本発明の第８の実施形態について説明する。図２３は、本実施形態における携帯型電話機８０の外観を示した斜視図であり、図２４は、図２３に示した携帯型電話機８０において認証を行う場合の、携帯型電話機８０の側面図である。
【０１４６】
両図に示すように、本実施形態においては、折りたたみ式の携帯型電話機８０において、第２の筐体２の外面２ｂに、板枠状の指ガイド部６を外面２ｂから突出可能に設けている。すなわち、指ガイド部６は、第１の枠板６１と第２の枠板６２とがヒンジ６３を介して矢印Ｂ方向へ回動可能となっており、当該回動とともに、第１の枠板６１の端部が矢印Ａ方向へスライドすることで、上記ヒンジ部６３を中心として両枠板６１及び６２が外面２ｂから突出可能となっている。また外面２ｂの、第２の枠板との間には照明部７が設けられている。
【０１４７】
また、第２の枠板６２の裏面には撮像部８が設けられており、指ガイド部６の突出に伴って、第２の筐体２内部から突出可能となっている。図２４に示すように、指ガイド部６及び撮像部８が突出した状態で、ユーザが当該突出した第１の枠板６１に指の腹部が対面するように指を載置することで、指の腹部を撮像可能となり、また照明部７は、当該載置された指の下部に位置するように設けられている。非撮像時には、第１の枠板６１及び第２の枠板６２はそれぞれ、外面２ｂと平行となるように外面２ｂに収容され、撮像部８は第２の筐体２内に収容される。また、認証時においては、第１の筐体１の内面１ａに設けられたメイン表示部４に、指の載置方法や認証手順が表示され、ユーザは当該表示にしたがって認証を行う。携帯型電話機８０の認証時の動作は上記各実施形態と同様である。
【０１４８】
以上の構成により、指ガイド部６、照明部７及び撮像部８をいずれも第２の筐体２の外面２ｂに設けることで、第１の筐体１及び第２の筐体２の各内面の構成部品に関わらず、認証に必要な焦点距離を確保して精度の高い認証を行うことができる。また、第1の筐体の内面２ａのメイン表示部４をユーザに見せながら認証することで、撮像部８が第２の筐体２の陰になりやすいため、撮像部８に入る外光を遮蔽することもできる。なお、本実施形態のような構成の指ガイド部６をストレート式の携帯型電話機に設けることも勿論可能である。
【０１４９】
（第９の実施形態）  
次に、本発明の第８の実施形態について説明する。図２５は、本実施形態における携帯型電話機９０の外観を示した斜視図である。
【０１５０】
同図に示すように、本実施形態における携帯型電話機９０は、第１の筐体２０１と第２の筐体２０２とが同図矢印Ａ方向にスライドすることで開閉可能に設けられた、いわゆるスライド式の携帯型電話機である。第１の筐体２０１の上面２０１ａにはメイン表示部４（図示せず）が設けられ、第２の筐体２０２の上面２０２ａには操作部５（図示せず）が設けられている。操作部５は、上記矢印Ａ方向へのスライドにより上面２０２ａから露出可能となっている。
【０１５１】
また第１の筐体２０１の背面２０１ｂの上端部には、指ガイド部６及び照明部７が設けられ、また第２の筐体２０２の上端部には撮像部８が設けられている。認証時には、指ガイド部６に載置された指と撮像部８との距離を、第１または第２の筐体の上記矢印Ａ方向へのスライド動作により確保することが可能となっている。また認証時には、第２に筐体２０２の背面２０２ｂに設けられたサブ表示部１６に、指の載置方法や認証手順が表示される。携帯型電話機９０の動作については上記各実施形態と同様である。
【０１５２】
この構成により、第１の筐体２０１と第２の筐体２０２とをスライド可能に設けた構成をうまく利用して、指と撮像部８との間の焦点距離を確保し、精度の高い認証を行うことができる。なお、指ガイド部６及び照明部７を第２の筐体の上面２０２ａの端部に設け、撮像部８を第１の筐体２０１の下端部に設けるようにしてもよく、上記と同様の効果を得ることができる。
【０１５３】
なお、本発明は上述の実施形態にのみ限定されるものではなく、本発明の要旨を逸脱しない範囲内において種々変更を加え得ることは勿論である。
【０１５４】
上記各実施形態においては、ＩＲ透過フィルタ３７とバンドパスフィルタ３８を併用していたが、例えばバンドパスフィルタ３８のみを用いるようにしても構わない。
【０１５５】
上記各実施形態においては、照明部７は筐体の所定の面（内面や外面、上面や背面）に対して略垂直方向に赤外光を照射するように設け、指の載置角度を照射方向に対して例えば０°〜４０°となるように載置させていたが、指の腹部（上記中心線）が各面に対して略垂直となるように（指の側部が各面と略平行となるように）指を載置させ、各面に対して赤外光の照射角度を上記角度の範囲に傾斜させるように設けてもよい。
【０１５６】
上述の実施形態においては、指ガイド部６と照明部７とは別個に設けていたが、指ガイド部６に凹部を設けず、ライトガイド４１の凸部をそのまま指ガイド部６として用いても構わない。この場合ユーザは当該ライトガイド４１の凸部に指の側部が当たるように指を載置する。
【０１５７】
上記第１ないし第３の実施形態に示した折りたたみ式の携帯型電話機においては、第１の筐体１及び第２の筐体２を開いた状態においても閉じた状態においても撮像部８により指を撮像可能としてもよい。この場合、撮像部８を、筐体の開閉に応じて回動させ、光軸が常に指の腹部を向くように設ければよい。
【０１５８】
第２の実施形態の携帯型電話機２０において、第１の筐体１の内面１ａの短手方向の両側面に、内面１ａから略垂直方向に突出するように板状のスカート部１ｃを設けてもよい。これにより、第１の筐体１及び第２の筐体２を所定角度閉じて認証をする場合に、両筐体の側面方向から入る外光も遮蔽することで、更に確実な認証を行うことができる。この場合は、例えば図２６に示すように、内面１ａの短手方向における第１の筐体１の幅を、第２の筐体２の内面２ａの短手方向の幅に比べて長くし、第１の筐体１を閉じた状態において、内面１ａとスカート部１ｃとによって第２の筐体２の内面２ａ及び側面が覆われるように（スカート部１ｃと第２の筐体２の側面が対面するように）設計すればよい。
【０１５９】
上述の各実施形態においては、本発明をいわゆる折りたたみ式、ストレート式、スライド式の各携帯型電話機に適用した例について説明したが、その他にも、例えば第１の筐体と第２の筐体とが、表示部が設けられた面に垂直な軸を中心に回動可能に連結された、いわゆる回転オープン式の携帯型電話機や、折りたたみ式と回転オープン式を組み合わせたタイプの携帯型電話機等、様々な形態の携帯型電話機に適用可能である。また本発明は、携帯型電話機以外にも、ＰＤＡ、ノート型ＰＣ（Personal Computer）、電子辞書、カメラ、携帯型オーディオ／ビジュアル機器、携帯型ゲーム機器等の様々な携帯型電子機器に適用可能である。
【０１６０】
なお、図２７〜図５９は、上記第１〜第９実施形態における携帯型電話機１０〜９０の各六面図（動作の前後の状態を含む）を示した図である。
【図面の簡単な説明】
【０１６１】
【図１】本発明の第１の実施形態に係る携帯型電話機１０の外観を示す斜視図である。
【図２】図１の携帯型電話機１０の側面図である。
【図３】図１の携帯型電話機１０の内部構成を示したブロック図である。
【図４】第１の実施形態の携帯型電話機１０の長手方向における、第１の筐体１及びヒンジ部３近傍の概略断面図である。
【図５】図４の照明部７の詳細を示した図である。
【図６】図４に示す撮像部８のカメラモジュール２１の断面図である。
【図７】第１の実施形態において、バンドパスフィルタ３８とＩＲ透過フィルタ３７の効果についての実験結果を示す図である。
【図８】第１の実施形態において撮像部８にバンドパスフィルタ３８及びＩＲ透過フィルタ３７を搭載しない場合と両フィルタを搭載した場合とでそれぞれ指を撮像した画像を示した図である。
【図９】第１の実施形態において、指に対する照明部の位置と角度を変更して指を撮像した場合の各撮像画像を示した図である。
【図１０】本発明の第２の実施形態に係る携帯型電話機２０が開いた状態の外観を示した斜視図である。
【図１１】図１０の携帯型電話機２０が所定角度閉じた状態の外観を示した斜視図である。
【図１２】認証時における携帯型電話機２０を側面側から示した図である。
【図１３】本発明の第３の実施形態に係る携帯型電話機３０の外観を示す斜視図である。
【図１４】図１３に示した携帯型電話機３０において認証を行う場合の、第１の筐体１の長手方向の断面図である。
【図１５】本発明の第４の実施形態に係る携帯型電話機４０の外観を示した斜視図である。
【図１６】図１５に示した携帯型電話機４０において認証を行う場合の、携帯型電話機４０の側面図である。
【図１７】本発明の第５の実施形態に係る携帯型電話機５０の外観を示した斜視図である。
【図１８】本発明の第６の実施形態に係る携帯型電話機６０の外観を示した斜視図である。
【図１９】図１８に示した携帯型電話機６０において認証を行う場合の、携帯型電話機６０の側面図である。
【図２０】本発明の第７の実施形態に係る携帯型電話機７０の外観を上面側から示した斜視図である。
【図２１】図２０に示した携帯型電話機７０の外観を背面側から示した斜視図である。
【図２２】図２０及び図２０に示した携帯型電話機７０において認証を行う場合の、携帯型電話機７０の側面図である。
【図２３】本発明の第８の実施形態に係る携帯型電話機８０の外観を示した斜視図である。
【図２４】図２３に示した携帯型電話機８０において認証を行う場合の、携帯型電話機８０の側面図である。
【図２５】本発明の第９の実施形態に係る携帯型電話機９０の外観を示した斜視図である。
【図２６】第２の実施形態の変形例において第１の筐体１にスカート部１ｃを設けた様子を示した図である。
【図２７】第１の実施形態における携帯型電話機１０の、開いた状態における正面図（同図（ａ））及び背面図（同図（ｂ））である。
【図２８】第１の実施形態における携帯型電話機１０の、開いた状態における左側面図（同図（ａ））及び右側面図（同図（ｂ））である。
【図２９】第１の実施形態における携帯型電話機１０の、開いた状態における平面図（同図（ａ））及び底面図（同図（ｂ））である。
【図３０】第２の実施形態における携帯型電話機２０の、所定角度閉じた状態における正面図（同図（ａ））及び背面図（同図（ｂ））である。
【図３１】第２の実施形態における携帯型電話機２０の、所定角度閉じた状態における左側面図（同図（ａ））及び右側面図（同図（ｂ））である。
【図３２】第２の実施形態における携帯型電話機２０の、所定角度閉じた状態における平面図（同図（ａ））及び底面図（同図（ｂ））である。
【図３３】第３の実施形態における携帯型電話機３０の、開いた状態における正面図（同図（ａ））及び背面図（同図（ｂ））である。
【図３４】第３の実施形態における携帯型電話機３０の、開いた状態における左側面図（同図（ａ））及び右側面図（同図（ｂ））である。
【図３５】第３の実施形態における携帯型電話機３０の、開いた状態における平面図（同図（ａ））及び底面図（同図（ｂ））である。
【図３６】第４の実施形態における携帯型電話機４０の、保持ブロック２５が突出した状態における正面図（同図（ａ））及び背面図（同図（ｂ））である。
【図３７】第４の実施形態における携帯型電話機４０の、保持ブロック２５が突出した状態における左側面図（同図（ａ））及び右側面図（同図（ｂ））である。
【図３８】第４の実施形態における携帯型電話機４０の、保持ブロック２５が突出した状態における平面図（同図（ａ））及び底面図（同図（ｂ））である。
【図３９】第４の実施形態における携帯型電話機４０の、保持ブロック２５が収容された状態における左側面図（同図（ａ））及び右側面図（同図（ｂ））である。
【図４０】第５の実施形態における携帯型電話機５０の、キーブロック２６が突出した状態における正面図（同図（ａ））及び背面図（同図（ｂ））である。
【図４１】第５の実施形態における携帯型電話機５０の、キーブロック２６が突出した状態における左側面図（同図（ａ））及び右側面図（同図（ｂ））である。
【図４２】第５の実施形態における携帯型電話機５０の、キーブロック２６が突出した状態における平面図（同図（ａ））及び底面図（同図（ｂ））である。
【図４３】第５の実施形態における携帯型電話機５０の、キーブロック２６が収容された状態における左側面図（同図（ａ））及び右側面図（同図（ｂ））である。
【図４４】第６の実施形態における携帯型電話機６０の、アンテナ１２が突出した状態における正面図（同図（ａ））及び背面図（同図（ｂ））である。
【図４５】第６の実施形態における携帯型電話機６０の、アンテナ１２が突出した状態における左側面図（同図（ａ））及び右側面図（同図（ｂ））である。
【図４６】第６の実施形態における携帯型電話機６０の、アンテナ１２が突出した状態における平面図（同図（ａ））及び底面図（同図（ｂ））である。
【図４７】第６の実施形態における携帯型電話機６０の、アンテナ１２が収容された状態における左側面図（同図（ａ））及び右側面図（同図（ｂ））である。
【図４８】第７の実施形態における携帯型電話機７０の、保持ブロック２７が突出した状態における正面図（同図（ａ））及び背面図（同図（ｂ））である。
【図４９】第７の実施形態における携帯型電話機７０の、保持ブロック２７が突出した状態における左側面図（同図（ａ））及び右側面図（同図（ｂ））である。
【図５０】第７の実施形態における携帯型電話機７０の、保持ブロック２７が突出した状態における平面図（同図（ａ））及び底面図（同図（ｂ））である。
【図５１】第７の実施形態における携帯型電話機７０の、保持ブロック２７が収容された状態における左側面図（同図（ａ））及び右側面図（同図（ｂ））である。
【図５２】第８の実施形態における携帯型電話機８０の、開いた状態かつ指ガイド部６が突出した状態における正面図（同図（ａ））及び背面図（同図（ｂ））である。
【図５３】第８の実施形態における携帯型電話機８０の、開いた状態かつ指ガイド部６が突出した状態における左側面図（同図（ａ））及び右側面図（同図（ｂ））である。
【図５４】第８の実施形態における携帯型電話機８０の、開いた状態かつ指ガイド部６が突出した状態における平面図（同図（ａ））及び底面図（同図（ｂ））である。
【図５５】第８の実施形態における携帯型電話機８０の、開いた状態かつ指ガイド部６が収容された状態における左側面図（同図（ａ））及び右側面図（同図（ｂ））である。
【図５６】第９の実施形態における携帯型電話機９０の、開いた状態における正面図（同図（ａ））及び背面図（同図（ｂ））である。
【図５７】第９の実施形態における携帯型電話機９０の、開いた状態における左側面図（同図（ａ））及び右側面図（同図（ｂ））である。
【図５８】第９の実施形態における携帯型電話機９０の、開いた状態における平面図（同図（ａ））及び底面図（同図（ｂ））である。
【図５９】第９の実施形態における携帯型電話機９０の、閉じた状態における左側面図（同図（ａ））及び右側面図（同図（ｂ））である。
【符号の説明】
【０１６２】
１、１０１…筐体（第１の筐体）
１ａ、２ａ…内面
１ｂ、２ｂ…外面
１ｃ…スカート部
２、２０２…第２の筐体
３…ヒンジ部
４…表示部（メイン表示部）
４ａ…保護板
５…操作部
６…指ガイド部
７…照明部
８…撮像部
１０、２０、３０、４０、５０、６０、７０、８０、９０…携帯型電話機
１１…制御部
１２…アンテナ
１５…表示制御部
１６…サブ表示部
２１…カメラモジュール
２３、２７ａ…光路
２５、２７…保持ブロック
２６…キーブロック
３６…イメージセンサ
３７…ＩＲ透過フィルタ
３８…バンドパスフィルタ
４１…ライトガイド
４３…赤外ＬＥＤ
１０１ａ、２０１ａ、２０２ａ…上面
１０１ｂ、２０１ｂ、２０２ｂ…背面
１０１ｃ…側面
【図１】
0004725385.tif 000002
【図２】
0004725385.tif 000003
【図３】
0004725385.tif 000004
【図４】
0004725385.tif 000005
【図５】
0004725385.tif 000006
【図６】
0004725385.tif 000007
【図７】
0004725385.tif 000008
【図１０】
0004725385.tif 000009
【図１１】
0004725385.tif 000010
【図１２】
0004725385.tif 000011
【図１３】
0004725385.tif 000012
【図１４】
0004725385.tif 000013
【図１５】
0004725385.tif 000014
【図１６】
0004725385.tif 000015
【図１７】
0004725385.tif 000016
【図１８】
0004725385.tif 000017
【図１９】
0004725385.tif 000018
【図２０】
0004725385.tif 000019
【図２１】
0004725385.tif 000020
【図２２】
0004725385.tif 000021
【図２３】
0004725385.tif 000022
【図２４】
0004725385.tif 000023
【図２５】
0004725385.tif 000024
【図２６】
0004725385.tif 000025
【図２７】
0004725385.tif 000026
【図２８】
0004725385.tif 000027
【図２９】
0004725385.tif 000028
【図３０】
0004725385.tif 000029
【図３１】
0004725385.tif 000030
【図３２】
0004725385.tif 000031
【図３３】
0004725385.tif 000032
【図３４】
0004725385.tif 000033
【図３５】
0004725385.tif 000034
【図３６】
0004725385.tif 000035
【図３７】
0004725385.tif 000036
【図３８】
0004725385.tif 000037
【図３９】
0004725385.tif 000038
【図４０】
0004725385.tif 000039
【図４１】
0004725385.tif 000040
【図４２】
0004725385.tif 000041
【図４３】
0004725385.tif 000042
【図４４】
0004725385.tif 000043
【図４５】
0004725385.tif 000044
【図４６】
0004725385.tif 000045
【図４７】
0004725385.tif 000046
【図４８】
0004725385.tif 000047
【図４９】
0004725385.tif 000048
【図５０】
0004725385.tif 000049
【図５１】
0004725385.tif 000050
【図５２】
0004725385.tif 000051
【図５３】
0004725385.tif 000052
【図５４】
0004725385.tif 000053
【図５５】
0004725385.tif 000054
【図５６】
0004725385.tif 000055
【図５７】
0004725385.tif 000056
【図５８】
0004725385.tif 000057
【図５９】
0004725385.tif 000058
【図８】
0004725385.tif 000059
【図９】
0004725385.tif 000060